(57)【要約】【課題】各種の薬液や化石燃料等の液体を充填するためのプラスチック容器であり、使い終わった後の廃容器を押し潰すことにより減容された資源ごみとして廃棄できるプラスチック容器を提供する。【解決手段】容器本体１の上部に口部２及び取手３を有し、全体形状がほぼ直方体形状をしたプラスチック容器である。胴体部は横方向（周方向）にそれぞれ外側に張り出すように円弧状に湾曲しており、更に胴部の少なくとも正面部又は背面部に横方向に延びる凸状リブ４ａ等の変形維持部４を設けることにより、横方向に押し潰した際に元の形状に復元しないようにしてある。変形維持部４は、胴体の正面部及び背面部に容器胴体部を中心として上方及び下方に少なくとも２箇所以上設ける。【選択図】        図１
2004299763.tif 000002
【特許請求の範囲】
【請求項１】
容器上部に口部及び取手を有し、全体形状がほぼ直方体形状をしたプラスチック容器において、胴体部は横方向（周方向）にそれぞれ外側に張り出すように円弧状に湾曲しており、更に胴部の少なくとも正面部又は背面部に横方向に延びる凸状リブ等の変形維持部を設けることにより、横方向に押し潰した際に元の形状に復元しないようにしたことを特徴とするプラスチック容器。
【請求項２】
プラスチック容器は、高密度ポリエチレンまたはポリプロピレンなどのポリオレフィンを主体とし、これに適量の低密度ポリエチレン等の軟質材料を混合し、構成材料としての曲げ弾性率が７００〜１８００ＭＰａ（ＡＳＴＭ  Ｄ７９０、測定温度２３℃）の範囲の混合材料を用いて、ブロー成形により構成し、変形維持部による補強効果により薄肉構造に構成したことを特徴とする請求項１記載のプラスチック容器。
【請求項３】
横方向に延びる変形維持部を、胴体の正面部及び背面部に容器胴体部を中心として上方及び下方に少なくとも２箇所以上設けたことにより、横方向に押し潰した際に元の形状に復元しないようにしたことを特徴とする請求項１または２記載のプラスチック容器。
【発明の詳細な説明】
【０００１】
【発明の属する技術分野】
本発明は合成樹脂製容器に係り、特にプラスチック成形体からなる各種の薬液や化石燃料等の液体を充填するための家庭用から工業用にわたって広範に使用されている液体容器に関する。これらの容器の殆どは使い捨てが多く、時代のニーズからも廃棄時に減容化できるものが求められている。
【０００２】
【従来の技術】
特にプラスチック成形体からなる各種の薬液や化石燃料等の液体を充填するための容器であり、ポリエチレン樹脂等の高分子材料によって、例えば高密度ポリエチレンを主体としこれに低密度ポリエチレン等の軟質材料を混合してブロー成型法等を用いて、ほぼ直方体状に成形された容器である。
【０００３】
この種の容器は従来より家庭用から工業用にわたり非常に広範囲に使用されているが、一方で使用後の空容器の廃棄に際して、保管場所、取り扱い、輸送、資源ごみとしての回収にいろいろな問題があった。またそのまま放置されても自然崩壊しないため、自然環境破壊の原因ともなっていた。
【０００４】
【発明が解決しようとする課題】
前記のように、この種の容器は従来より家庭用から工業用にわたり非常に広範囲に使用されているが、一方で使用後の空容器の廃棄に際して、保管場所、取り扱い、輸送、資源ごみとしての回収にいろいろな問題があった。
【０００５】
またそのまま放置されても自然崩壊しないため、自然環境破壊の原因ともなっていた。  近年これを解決するために、例えば実用新案第２６０４６０４、特開平１０−７７０４５等にみられるように、容器の胴体部にリブ或いは凹状の溝部を設けることにより、この部分を起点として前者は横潰し状態に、また後者は縦潰し状態に折り曲げ出来るようにしたものが提案されている。
【０００６】
しかし、これらのものはいずれも押し潰した後、保管中或いは放置中に容器構成材料自体が持っている剛性のために、元の形状近くに復元してしまい、減容効果が完全ではなかった。
【０００７】
本発明はこのような問題点を解消するためになされたものであり、使用後廃棄する際に、押し潰した後保管或いは放置しても元の形状に戻ることなく完全に押し潰した状態を維持することができ、かつ積み重ね可能に形成されているので、空容器の完全な減容化が達成でき保管場所、取り扱い、輸送、資源ごみとしての回収等の効率改善に顕著な効果の得られるプラスチック容器を提供するものである。
【０００８】
【課題を解決するための手段】
本発明は、上部に液体を注入或いは取り出しするための口部、及び取手を設け、液体を充填するためのほぼ直方体状のプラスチック容器であり、高密度ポリエチレンまたはポリプロピレンなどのポリオレフィンを主体とし、これに適正な柔軟性及び落下強度を向上するため適量の低密度ポリエチレン等の軟質材料を混合したものを公知のブロー成型法などによって成形したものである。
【０００９】
この構成材料は、曲げ弾性率（ＡＳＴＭ  Ｄ７９０，測定温度２３℃）が７００〜１８００Ｍｐａのものが好ましく、即ち７００Ｍｐａ未満であると、変形した後再び元の形状に復元しやすく、また１８００Ｍｐａを越えると手で容器を押し潰すことが困難となる。尚、上記構成において通常時の変形維持性と変形作業性と変形後の維持性を考慮すると、容器の平均肉厚は１ｍｍ以下、好ましくは０．８ｍｍ以下に設定されるものとする。
【００１０】
この容器の胴体部は横方向（周方向）にそれぞれ外側に張り出すように円弧状に湾曲しており、更に容器の正面部及び背面部に胴部の横断面が最大となるほぼ中央部或いは上下に少なくとも２箇所以上の横方向に延びる凸状リブ等の変形維持部を設けたことを特徴とする。尚、容器の胴体部は横方向（周方向）だけではなく、縦方向（高さ方向）もともにそれぞれ外側に張り出すように円弧状に湾曲して構成すると、変形作業性と変形後の形状安定性の面で更に好ましい。
【００１１】
この凸状リブ等の変形維持部は液体が充填された際、容器の補強も兼ねるため容器全体を薄肉に成形できる効果もあり、減量化することができる。さらに、使用後、この容器を横に置き、手で内側に押し潰すと前述の外側に張り出した円弧状湾曲部及び円弧状湾曲面をなす凸状リブや凹状リブまた段差状リブ等の変形維持部が内側に反転する状態で押し込まれ、これにより容器を押し潰した際の復元応力を完全に打ち消すことが可能となり、完全減容化できる。更に折り込まれた中央部が最大断面となるように傾斜しているため、押し潰した状態で容器同士をはめ込んだ状態で積み重ねることができ、保管場所、取り扱い、輸送、資源ごみとしての回収等の改善に著しい効果が得られる。
【００１２】
容器胴体部に凸状リブ等の変形維持部を設けることにより、湾曲形状が逆転することにより、押し潰した後の容器が元の形状へ復元することを阻止することとなる。そして、本発明の容器は上部に備えた取手を持って取り扱い或いは運搬することができ、通常の容器と同様に上部に開口した口部から液体を充填、或いは注出することができ、使用済み後横向きに押し潰して減容化して廃棄することができる。
【００１３】
【発明の実施の形態】
本発明に係るプラスチック容器の実施の形態を図面に基づいて詳細に説明する。
【００１４】
図１は本発明に係る容器１の斜視図、図２は該容器の一部破断正面図である。
容器上面に液体を注入或いは注出するためのキャップ付きの口部２および容器を持ち運びするための取手３が設けられている。この容器の胴体部は縦方向（高さ方向）及び横方向（周方向）にそれぞれ外側に張り出すように円弧状に湾曲しており、更に胴部の横断面が最大となるほぼ中央部の正面部及び背面部に横方向に延びる変形維持部４（４ａ、４ｂ）を設け、これより上方向および下方向に向かって容器胴部をそれぞれ先細りに形成してある。即ち、容器の正面と背面は長手方向で円弧状に湾曲した凸状リブ４ａが設けてあり、容器の左側面と右側面には長手方向で円弧状に湾曲した段差状リブ４ｂが設けられている。
【００１５】
本発明にあっては、少なくとも正面部と背面に円弧状に湾曲した凸状リブ４ａが設けること、更には略中央だけではなく、実施例のように上下端方向にずれた箇所に凹状リブ４ｃ等の変形維持部を設けると、通常時の補強リブ効果と廃棄時の変形維持効果を満足するうえで好ましい。
【００１６】
図５に示すように、この容器を横に置き手で押し潰すと前述の外側に張り出した円弧状湾曲部及び凸状リブ部が内側に反転する状態で押し込まれ、これにより容器を押し潰した際の復元応力を完全に打ち消すことが可能となり、完全減容化できる。更に折り込まれた中央部が最大断面となるように傾斜しているため、押し潰した状態で容器同士をはめ込んだ状態で積み重ねることができ、散乱することなく整理整頓することができ、運搬等の取り扱いにおいても作業性が向上できる。
【００１７】
【発明の効果】
以上のように本発明は、上部に液体注出用の口部及び取手が設けられ、液体を充填するための容器胴部が外側に膨らんだ、ほぼ直方体形状のプラスチック容器であって、高密度ポリエチレンを主体とし、これに適正な柔軟性及び落下強度を向上するために低密度ポリエチレン等の軟質材を混合してブロー成型法で成形したものであり、構造が簡単なため通常の型を用いて効率良く製造することができる。
【００１８】
容器胴体部に凸状リブ等の変形維持部を設けることにより、湾曲形状が逆転することにより、押し潰した後の容器の元の形状への復元を阻止する助けとするとともに、容器使用時における補強効果が得られるため、成形容器の薄肉化が可能となり軽量化並びに製造コストの削減が可能である。
【００１９】
使用後容器を横向きにして、手により簡単に押し潰すことが出来、廃棄時の減容化が達成できる。更に押し潰した後、元の形状への復元が完全に押さえられるので、押し潰した容器を互いに填め込む状態で積み重ねることができるので、大量に扱う事業所等での保管及び取り扱いが容易であり作業効率が向上する。
【図面の簡単な説明】
【図１】プラスチック容器の外観斜面図である。
【図２】プラスチック容器の一部破断正面図である。
【図３】プラスチック容器の一部破断側面図である。
【図４】プラスチック容器を上から見た一部破断平面図である。
【図５】完全に押し潰した状態を示すプラスチック容器の斜視図である。
【符号の説明】
１  容器本体
２  口部
３  取手
４  変形維持部
４ａ  凸状リブ
４ｂ  段差状リブ
４ｃ  凹状リブ
【図１】
2004299763.tif 000003
【図２】
2004299763.tif 000004
【図３】
2004299763.tif 000005
【図４】
2004299763.tif 000006
【図５】
2004299763.tif 000007